(57)【特許請求の範囲】
【請求項１】
下地材（２）と、該下地材（２）の上面に敷設され該下地材（２）の上面に外囲面を形成する外囲板（８）（４０）と、水平部（２０ｂ）と垂直部（２０ａ）を有する長尺状のＬ型鋼により構成され前記外囲面の上方にこれに対して水平に且つ前記垂直部（２０ａ）を下向きに水平部（２０ｂ）を上にして複数並列配置された長尺状の架台（２０）と、前記外囲面に固定または係止され長尺状の前記架台（２０）の下向きの垂直部（２０ａ）を嵌合支持するための断面Ｕ字状の嵌合受部（１４ｄ）（４６ｃ）を有する取付金具（１４）（４６）と、前記架台（２０）の水平部（２０ｂ）上に載置されて複数配置されたソーラーパネルなどのパネル状構造物（２２）と、前記パネル状構造物（２２）の縁部を係止する押え部（３０）（３２）（３４）（５８ｄ）（６０ｅ）を有し前記架台（２０）の水平部に保持された押え板（２４Ａ）（２４Ｂ）（２４Ｃ）（５８）（６０）とを備えたことを特徴とする外囲体。
【請求項２】
前記押え板（２４Ａ）（２４Ｂ）（２４Ｃ）（５８）（６０）を前記パネル構造物（２２）に一体的に固設したことを特徴とする「請求項１」に記載の外囲体。
【請求項３】
前記押え板（２４Ａ）（２４Ｂ）（２４Ｃ）を、取付水平部（２６）と、これに対して垂直な立ち上り部（２８）と、該立ち上り部（２８）の上部に水平に形成された上位水平部（３１）とより構成し、前記取付水平部（２６）を前記架台（２０）の水平部（２０ｂ）にねじ止め可能としたことを特徴とする「請求項１」に記載の外囲体。
【請求項４】
前記架台（２０）の水平部（２０ｂ）に差し込み口（６４）を設け、この差し込み口（６４）に押え板（５８）（６０）の取付水平部（５８ａ）（６０ａ）を差し込み自在としたことを特徴とする「請求項１」に記載の外囲体。
【請求項５】
水平部（２０ｂ）と垂直部（２０ａ）を有する長尺状のＬ型鋼により構成され外囲板（８）（４０）によって形成される外囲面上にこれに対して水平に且つ前記垂直部（２０ａ）を下向きに水平部（２０ｂ）を上にして複数並列配置される長尺状の架台（２０）と、前記外囲面に固定または係止可能な取付部（１４ａ）（４６ａ）と長尺状の前記架台（２０）の下向きの垂直部（２０ａ）を嵌合支持するための断面Ｕ字状の嵌合受部（１４ｄ）（４６ｃ）とが形成された取付金具（１４）（４６）と、パネル状構造物（２２）の縁部を係止するための押え部（３０）（３２）（３４）（５８ｄ）（６０ｅ）を有し前記架台（２０）の水平部（２０ｂ）に保持可能な押え板（２４Ａ）（２４Ｂ）（２４Ｃ）（５８）（６０）とから成ることを特徴とする外囲面上にパネル状構造物を取り付ける装置。
【請求項６】
前記押え板（２４Ａ）（２４Ｂ）（２４Ｃ）（５８）（６０）をパネル構造物（２２）に一体的に固設したことを特徴とする「請求項５」に記載の外囲面上にパネル状構造物を取り付ける装置。
【請求項７】
前記押え板（２４Ａ）（２４Ｂ）（２４Ｃ）を、取付水平部（２６）と、これに対して垂直な立ち上り部（２８）と、該立ち上り部（２８）の上部に水平に形成された上位水平部（３１）とより構成し、前記取付水平部（２６）を前記架台（２０）の水平部（２０ｂ）にねじ止め可能としたことを特徴とする「請求項５」に記載の外囲面上にパネル状構造物を取り付ける装置。
【請求項８】
前記架台（２０）の水平部（２０ｂ）に差し込み口（６４）を設け、この差し込み口（６４）に押え板（５８）（６０）の取付水平部（５８ａ）（６０ａ）を差し込み自在としたことを特徴とする「請求項５」に記載の外囲面上にパネル状構造物を取り付ける装置。
【発明の詳細な説明】
【０００１】
【発明の属する技術分野】
本発明は、飾り板あるいは、太陽電池モジュールパネルなどのパネル状構造物を取り付けた屋根あるいは外壁などの外囲体及び外囲面上にパネル状構造物を取り付ける装置に関する。
【０００２】
【従来の技術】
飾り板やソーラーパネル（太陽電池モジュールパネル）などのパネル状構造物を外囲板に取り付けた屋根や外壁が従来知られている。これらのパネル状構造物は、直接ビスなどの止着具によって外囲板に固定されるか、あるいは、パネル状構造物側と外囲板側に、互いに取付けるための特殊な構造を備えている。
【０００３】
【発明が解決しようとする課題】
パネル状構造物を外囲板に直接ビス止めすると、パネル状構造物を安定的に外囲面に保持させることができないという問題点があった。
また、パネル状構造物側と外囲板側との取り付けに溶接などの作業を伴う場合があり、簡単に、外囲板に化粧板、ソーラーパネルなどのパネル状構造物を取り付けることができないという問題点があった。
本発明は、上記問題点を解決することを目的とするものである。
【０００４】
【課題を解決するための手段】
上記目的を達成するため、本発明は、下地材（２）と、該下地材（２）の上面に敷設され該下地材（２）の上面に外囲面を形成する外囲板（８）（４０）と、前記外囲面の上方にこれに対して水平に複数並列配置された長尺状の架台（２０）と、前記外囲面に固定または係止され長尺状の前記架台（２０）を支持するための受部（１４ｄ）（４６ｃ）を有する取付金具（１４）（４６）と、前記架台（２０）上に複数載置されたソーラーパネルなどのパネル状構造物（２２）と、前記パネル状構造物（２２）の縁部を係止する押え部（３０）（３２）（３４）（５８ｄ）（６０ｅ）を有し前記架台（２０）に保持された押え板（２４Ａ）（２４Ｂ）（２４Ｃ）（５８）（６０）とを備えものである。
また、押え板（２４Ａ）（２４Ｂ）（２４Ｃ）（５８）（６０）をパネル状構造物（２２）に一体的に固設したものである。
また、前記押え板（２４Ａ）（２４Ｂ）（２４Ｃ）を、取付水平部（２６）と、これに対して垂直な立ち上り部（２８）と、該立ち上り部（２８）の上部に水平に形成された上位水平部（３１）とより構成し、前記取付水平部（２６）を前記架台（２０）にねじ止め可能としたものである。
また、前記架台（２０）に差し込み口（６４）を設け、この差し込み口（６４）に押え板（５８）（６０）の取付水平部（５８ａ）（６０ａ）を差し込み自在とし、前記押え板（５８）（６０）に、前記取付水平部（５８ａ）（６０ａ）に垂直な立ち上り部（５８ｂ）（６０ｃ）とこれに対して水平な上位水平部（５８ｃ）（６０ｄ）とで押え部（５８ｄ）（６０ｅ）を構成したものである。
また、前記架台（２０）を長尺状のＬ型鋼により構成したものである。
さらに、上記目的を達成するため、本発明は、外囲板（８）（４０）によって形成される外囲面上に水平に配置される複数の長尺状の架台（２０）と、前記外囲面に固定または係止可能な取付部（１４ａ）（４６ａ）と前記架台（２０）を支承するための受部（１４ｄ）（４６ｃ）とが形成された取付金具（１４）（４６）と、パネル状構造物（２２）の縁部を係止するための押え部（３０）（３２）（３４）（５８ｄ）（６０ｅ）を有し前記架台（２０）に保持可能な押え板（２４Ａ）（２４Ｂ）（２４Ｃ）（５８）（６０）とで外囲面上にパネル状構造物を取り付ける装置を構成したものである。
【０００５】
【発明の実施の形態】
以下に本発明の実施の形態を、添付した図面を参照して詳細に説明する。
図１において、（２）は、建物の屋根の、合板などからなる下地材であり、Ｃチャンネル鋼などからなる母屋（４）により支持されている。前記下地材（２）の上面には、アスファルトルーフィングなどの防水シート（６）が敷設され、その上に、図１中、紙面、垂直方向に長い複数の金属製の板材から成る外囲板（８）が並列に隣接配置されている。前記外囲板（８）の一側部の引掛係止部（８ａ）は、ビスなどの止着具（１０）によって下地材（２）に固定された吊子（１２）に係合し、この吊子（１２）と引掛係止部（８ａ）との接合部に、隣接する他の外囲板（８）の他側部の嵌合部（８ｂ）が嵌合し、複数の外囲板（８）が、建物の棟から軒先にかけて、互いに接合され、下地材（２）上に横葺き屋根を構成している。
【０００６】
図１において屋根は、水平に対して左方向に傾き、雨水が、図中、右から左に向けて流れるように構成されている。（１４）は、外囲板（８）上に、長尺状の架台（２０）を取り付けるための取付金具であり、図２に示すように、全体が帯板状の鋼板などの金属により構成され、取付部（１４ａ）と、立ち上り部（１４ｂ）と、上位水平部（１４ｃ）と、断面Ｕ字状の嵌合受部（１４ｄ）とを備えている。
【０００７】
前記取付金具（１４）は、外囲板（８）上に、その長手方向即ち棟に沿った複数の軸線上に所要数配置され、取付金具（１４）の各々の取付部（１４ａ）は、防水パッキン（１６）を介して、外囲板（８）の上から、ビスなどの止着具（１８）によって、下地材（２）に固着されている。前記棟に沿った同一軸線上に配設された一対の取付金具（１４）の嵌合受部（１４ｄ）には、長尺のＬ型鋼などからなる架台（２０）の垂直部（２０ａ）の両端の近傍が、外囲板（８）上に所定の間隔を在して、水平に支承されている。
【０００８】
他の、棟に沿った同一軸線上に配設された一対の取付金具（１４）にも、架台（２０）の両端近傍が支承されている。尚、架台（２０）の中間部も、取付金具（１４）によって支承しても良い。
前記架台（２０）の水平部（２０ｂ）には、太陽電池モジュール板（ソーラーパネル）などのパネル状の構造物（２２）が、同一平面上に複数支承されている。
【０００９】
隣接する一対の構造物（２２）の縁部は、架台（２０）の水平部（２０ｂ）上で、所定の間隔を存して平行に対向している。（２４Ａ）（２４Ｂ）（２４Ｃ）は、鋼板から成る押え板であり、本実施形態では、３種類用意されている。図５（Ａ）に示す押え板（２４Ｂ）は、水上水下用であり、構造物（２２）の一つの端縁を押圧することができるように、取付水平部（２６）の片側に立ち上り部（２８）と上位水平部（３１）とから成る横Ｌ字状の押え部（３０）が形成されている。
【００１０】
図４に示す押え板（２４Ａ）は、中央部用であり、十文字状に接する四つの構造物（２２）の四つの端縁を押圧することができるように取付水平部（２６）の両側に、該取付水平部（２６）と同一の長さの押え部（３２）（３２）が形成されている。この押え板（２４Ａ）は、左右に接する２つの構造物（２２）の端縁を押圧するときにも使用される。
【００１１】
図５（Ｂ）に示す押え板（２４Ｃ）は、屋根のケラバ用であり、左右に接する２つの構造物（２２）の２つの端縁を押圧することができるように、取付水平部（２６）の両側に、該取付水平部（２６）の全長の１／２の長さの短尺寸法の押え部（３４）（３４）が形成されている。
【００１２】
前記押え板（２４ａ）（２４ｂ）（２４Ｃ）の取付水平部（２６）には、それぞれボルト穴（３６）が穿設されている。前記架台（２０）の水平部（２０ｂ）の所要位置には、前記押え板（２４Ａ）（２４Ｂ）（２４Ｃ）を取り付けるためのねじ穴が穿設されている。
前記押え板（２４Ａ）（２４Ｂ）（２４Ｃ）は、架台（２０）の所要の位置に配置され、ボルト（３８）によって、架台（２０）の水平部（２０ｂ）に固定される。
【００１３】
このとき、押え板（２４Ａ）の押え部（３２）（３２）は、ボルト（３８）の締付力によって十文字に接する４個の構造物（２２）の４つの端縁を押圧し、また押え板（２４Ａ）の押え部（３２）（３２）は、左右に接する２つの構造物（２２）の端縁を押圧する。また、押え板（２４Ｂ）の押え部（３０）は、構造物（２２）の一つの端縁を押圧し、また、押え板（２４Ｃ）の押え部（３４）（３４）は、屋根のケラバ部分において、左右に接する２つの構造物（２２）のそれぞれの端縁を押圧する。架台（２０）上の構造物（２２）は、前記押え板（２４Ａ）（２４Ｂ）（２４Ｃ）の押え部（３０）（３２）（３４）の押圧力によって、架台（２０）上に強固に支持される。
【００１４】
次に、本発明の他の実施の形態を、第６図乃至第９図を参照して説明する。
（２）は、屋根用の下地材であり、母屋（４）により支承されている。下地材（２）には、防水シート（図示省略）を介して、棟から軒先方向に向けて延びる即ち図６中、左右方向に長い長尺状の鋼板などの金属板から成る複数の外囲板（４０）が並列に配置され、各外囲板（４０）の立ち上り部は、下地材（２）にビス止め固定された吊子（４２）を介して、はぜ締め構造により接合され、一対の外囲板（４０）（４０）の接合部に、屋根の棟から軒先に向けて延びる縦はぜ部（４４）を構成している。
【００１５】
（４６）は外囲板（４０）上に、長尺状の架台（２０）を取り付けるための取付金具であり、図７に示すように、全体が弾性のある金属板から構成されている。取付金具（４６）には、縦はぜ部（４４）に脱着自在に挿入可能な取付部（４６ａ）と、該取付部（４６ａ）の上部に位置する挟圧部（４６ｂ）とが一体的に形成され、挟圧部（４６ｂ）の略中央部には、Ｕ字状の嵌合受部（４６ｃ）が形成されている。前記挟圧部（４６ｂ）には、ボルト挿入穴（４８）が形成されている。また、前記挟圧部（４６ｂ）の上部には、前記嵌合受部（４６ｃ）をはさんでパイプ状の一対のナット（５０）（５０）が固設されている。（２０）は架台、（２２）はソーラーパネルなどのパネル状構造物、（２４Ａ）は押え板である。
【００１６】
上記した構成において、外囲板（４０）の各縦はぜ部（４４）の所要位置に、取付金具（４６）の取付部（４６ａ）を嵌合し、ボルト（５２）を図８に示すように挟圧部（４６ｂ）のボルト穴（４８）に挿入して、ナット（５４）をねじ込む。このナット（５４）の締付力により、取付部（４６ａ）を構成する両側板が、互いに接近する方向に加圧され、取付部（４６ａ）は、縦はぜ部（４４）にしっかりと固定される。
【００１７】
次に、縦はぜ部（４４）に対して直角方向に架台（２０）を複数並列に配置し、各々の両端近傍及び中間部を、前記取付金具（４６）の嵌合受部（４６ｃ）に嵌合し、ボルト（５６）（５６）をナット（５０）（５０）にねじ込んで、ボルト（５６）（５６）の先端を架台（２０）の垂直部（２０ａ）の両側面に圧接し、架台（２０）を取付金具（４６）の嵌合受部（４６ｃ）に固定する。
【００１８】
次に、架台（２０）上に複数の構造物（２２）を展開配置し、第１の実施形態で説明したように、３種類の押え板（２４Ａ）（２４Ｂ）（２４Ｃ）とボルト（３８）を用いて、架台（２０）に構造物（２２）を固定する。
外囲板（８）（４０）上に敷設した複数の構造物（２２）の中の１つが損壊した場合には、ボルト（３８）を架台（２０）のねじ穴から外し、押え板（２４Ａ）（２４Ｂ）（２４Ｃ）を、架台（２０）の水平部（２０ｂ）から外すことにより、他の隣接する構造物（２２）を水平方向にずらすことなく、所望の構造物（２２）のみを上方に持ち上げて取り外すことができる。
【００１９】
屋根及び外壁には、図示した横葺、縦はぜ葺以外に平葺、折板葺き、葺棒葺きその他種々の屋根外壁構築工法が存し、本発明の実施に際し、外囲面の構成は、図示する構成に特に限定されるものではない。
また、押え板（２４Ａ）（２４Ｂ）（２４Ｃ）の取付水平部（２６）と架台（２０）の水平部（２０ｂ）との間に、スペーサを配置し、押え板（２４Ａ）（２４Ｂ）（２４Ｃ）を、種々の厚さの構造物に対応させることができるようにしても良い。上記実施形態はいずれも、押え板（２４Ａ）（２４Ｂ）（２４Ｃ）を架台（２０）にボルト（３８）によりねじ止めする構成であるが、図１０乃至図１３に示すように、押え板（５８）（６０）を架台（２０）に設けた差し込み口に差し込む構成としても良い。
【００２０】
図１０において、（２０）は架台であり、取付金具（１４）によって、外囲面（図示省略）上に支承されている。架台（２０）には、支持片（６２）が水平部（２０ｂ）に対して段差を有して水平に形成され、差し込み口（６４）を形成している。（５８）は差し込み口（６４）に差し込まれる一対の押え板（５８）（６０）のうちの一方の押え板であり、架台（２０）と略同長の長尺状の鋼板により構成され、取付水平部（５８ａ）と、これに対して垂直な立ち上り部（５８ｂ）と、これに対して直角な上位水平部（５８ｃ）とから成り、立ち上り部（５８ｂ）と上位水平部（５８ｃ）は、パネル状構造物（２２）の縁部を係止するための押え部（５８ｄ）を構成している。（６０）は、差し込み口（６４）に差し込まれる一対の押え板（５８）（６０）のうちの他方の押え板であり、架台（２０）と略同長の長尺状の鋼板により構成され、取付水平部（６０ａ）と、これに対して水平な支持部（６０ｂ）と、該支持部（６０ｂ）に対して垂直な立ち上り部（６０ｃ）と、該立ち上り部（６０ｃ）に対して直角な上位水平部（６０ｄ）とから成り、支持部（６０ｂ）と立ち上り部（６０ｃ）と上位水平部（６０ｄ）とは、パネル状構造物（２２）の縁部を係止するためのコ字状の押え部（６０ｅ）を構成している。
【００２１】
上記した構成において、図１１に示すように、一対の押え板（５８）（６０）の取付水平部（５８ａ）（６０ａ）を重ねて架台（２０）の差し込み口（６４）に圧入すると、押え板（５８）（６０）は架台（２０）の差し込み口（６４）に保持され、一対の押え板（５８）（６０）は、互いに隣接するパネル状構造物（２２）（２２）の縁部を係止する。押え板（５８）（６０）は、短尺な鋼板により構成しても良い。
図１２，１３に示すように、外囲面の縦はぜ部（４４）に取付金具（４６）を介して支持された架台（２０）にも、差し込み口（６４）を形成し、これに一対の押え板（５８）（６０）を保持することができる。一対の押え板（５８）（６０）のうち、他方の押え板（６０）は、支持部（６０ｂ）の側部に下向き垂直方向に脚部（６０ｆ）が形成され、押え板（６０）を差し込み口（６４）に圧入したとき、脚部（６０ｆ）の下端が、縦はぜ部（４４）の上端に載置されるように構成されている。
【００２２】
外囲面上に配置された隣接するパネル状構造物（２２）の縁部は、一対の押え板（５８）（６０）の押え部（５８ｄ）（６０ｅ）により図１３に示す如く係止される。尚、一枚のパネル状構造物（２２）の縁部のみを係止する場合には、一対の押え板（５８）（６０）のうちのいずれか一つのみを差し込み口（６４）に挿入して使用することができる。この場合、差し込み口（６４）と、押え板（５８）又は（６０）の取付水平部（５８ａ）（６０ａ）との間にガタが生じることになるが、このガタは、スペーサを用いることで除去できる。また、予め、１個の押え板用の差し込み口を架台（２０）に形成しておくこともできる。
【００２３】
上記実施形態において、押え板（２４Ａ）（２４Ｂ）（２４Ｃ）（５８）（６０）は、いずれも太陽電池モジュールパネルなどのパネル状構造物（２２）とは別体に構成したが、押え板（２４Ａ）（２４Ｂ）（２４Ｃ）（５８）（６０）を、パネル状構造物（２２）に一体的に固設しても良い。この場合、押え板（２４Ａ）（２４Ｃ）のように、左右２個のパネル状構造物（２２）を係止するものは、その片側をパネル状構造物（２２）に一体的に固設する。押え板（２４Ａ）（２４Ｂ）（２４Ｃ）（５８）（６０）のパネル状構造物（２２）に固設される側は、その上位水平部（３１）を省略することができる。このようにパネル状構造物と押え板とを一体構造とすることにより、外囲面にパネル状構造物を取り付ける機構のコストダウンを図ることが可能となる。
【００２４】
【発明の効果】
本発明は上述の如く構成したので、外囲板にソーラーパネルや化粧板などの構造物を簡単に取り付け且つ取り外すことができる効果が存する。
【図面の簡単な説明】
【図１】ソーラーパネルを装備した屋根の断面説明図である。
【図２】屋根の要部を示す一部断面外観説明図である。
【図３】架台を装備した屋根の要部を示す一部断面外観説明図である。
【図４】ソーラーパネルの取付状態を示す外観説明図である。
【図５】押え板の外観説明図である。
【図６】ソーラーパネルを装備した屋根の他の実施の形態を示す側面説明図である。
【図７】屋根の他の実施の形態を示す一部断面外観説明図である。
【図８】ソーラーパネルを装備した屋根の他の実施の形態を示す断面説明図である。
【図９】ソーラーパネルの組み付け状態を示す分解外観説明図である。
【図１０】本発明の他の実施の形態を示す外観説明図である。
【図１１】同上、断面説明図である。
【図１２】本発明の他の実施の形態を示す外観説明図である。
【図１３】同上、断面説明図である。
【符号の説明】
２      下地材
４      母屋
６      防水シート
８      外囲板
８ａ    引掛係止部
８ｂ    嵌合部
１０    止着具
１２    吊子
１４    取付金具
１４ａ  取付部
１４ｂ  立ち上り部
１４ｃ  上位水平部
１４ｄ  嵌合受部
１６    防水パッキン
１８    止着具
２０    架台
２０ａ  垂直部
２０ｂ  水平部
２２    構造物
２４Ａ  押え板
２４Ｂ  押え板
２４Ｃ  押え板
２６    取付水平部
２８    立ち上り部
３０    押え部
３２    押え部
３４    押え部
３６    ボルト穴
３８    ボルト
４０    外囲板
４２    吊子
４４    縦はぜ部
４６    取付金具
４６ａ  取付部
４６ｂ  挟圧部
４６ｃ  嵌合受部
４８    ボルト穴
５０    ナット
５２    ボルト
５４    ナット
５６    ボルト
５８    押え板
５８ｄ  押え部
６０    押え板
６２    支持片
６４    差し込み口
【図１】
0004105307.tif 000002
【図２】
0004105307.tif 000003
【図３】
0004105307.tif 000004
【図４】
0004105307.tif 000005
【図５】
0004105307.tif 000006
【図６】
0004105307.tif 000007
【図７】
0004105307.tif 000008
【図８】
0004105307.tif 000009
【図９】
0004105307.tif 000010
【図１０】
0004105307.tif 000011
【図１１】
0004105307.tif 000012
【図１２】
0004105307.tif 000013
【図１３】
0004105307.tif 000014